(57)【要約】   負荷（コードレス電話のハンドセット）は、再充電が可能なバッテリにより起動される。バッテリは、負荷が使用されていないとき、バッテリ充電器で再充電される。バッテリ充電器はタイマにより制御され、タイマは、前回の再充電以後、負荷が電力を引き出した時間量を合計する。タイマは、所定の累積使用後に至るまで、バッテリ充電器の動作を停止させる。
2007525135.tif 000002
【特許請求の範囲】
【請求項１】
ａ）再充電可能なバッテリと、
ｂ）前記バッテリで起動される断続的負荷と、
ｃ）前記負荷に結合され、前記負荷が前記バッテリを負荷する経過時間を表す信号を発生するタイマと、
ｄ）前記バッテリを充電する手段と、
ｅ）前記タイマから発生される信号に応答して、前記バッテリ充電手段を制御する手段と、から成る、バッテリ充電装置。
【請求項２】
前記負荷がコードレス電話のハンドセットであり、前記タイマが該ハンドセット内に位置する、請求項１記載のバッテリ充電装置。
【請求項３】
前記負荷がコードレス電話のハンドセットであり、前記バッテリ充電手段が、該ハンドセットに関連するベース・ユニット内に位置する、請求項１記載のバッテリ充電装置。
【請求項４】
前記ハンドセットが前記ベース・ユニットから離れているときの経過時間を表す信号を前記タイマが発生する、請求項３記載のバッテリ充電装置。
【請求項５】
前記負荷が前記バッテリから電流を引き出すときの経過時間を表す信号を前記タイマが発生する、請求項１記載のバッテリ充電装置。
【請求項６】
前記負荷がコードレス電話のハンドセットであり、前記バッテリを制御する前記手段が、前記ハンドセットに関連するべース・ユニット内に位置する、請求項１記載のバッテリ充電装置。
【発明の詳細な説明】
【技術分野】
【０００１】
本発明は、バッテリ充電装置に関し、特に、コードレス電話機のバッテリを充電する装置に関する。
【背景技術】
【０００２】
バッテリで作動する多くの器具において、器具が使用されていないときにも、バッテリは絶えず充電されている。このように絶えず充電すると、バッテリが放電しているかまたは放電に近い状態にあるときにのみ充電するのと比較して、バッテリの寿命を縮める。
【０００３】
従って、バッテリの寿命を延ばすために、再充電が可能なバッテリを絶えず充電することを避けることが望ましい。本発明により、この問題は簡単に解決される。
【発明の開示】
【０００４】
（発明の概要）
バッテリ充電装置は、再充電可能なバッテリと、該バッテリで起動される断続的負荷とから成る。タイマが負荷に結合され、負荷が使用される経過時間を表す信号を発生する。
【発明を実施するための最良の形態】
【０００５】
図１に、バッテリ充電装置を例示する。負荷１０は、電話のハンドセット（送受話器）であり、バッテリ１２から電流を引き出す（ｄｒａｗ：取り出す、得る）。バッテリ１２は、バッテリ充電器１４で再び充電される。バッテリ充電器１４は、充電器コントローラ（制御装置）１６により制御される。
【０００６】
負荷１０が使用され、バッテリ１２から電流を引き出すと、タイマ１８が進んで、負荷１０がバッテリ１２から電流を引き出した経過時間を示す値が記憶される。負荷１０がバッテリ１２から電流を引き出した経過時間が所定の値に達すると、タイマ１８は信号を発生し、充電器コントローラ１６によりバッテリ充電器１４を作動させる。バッテリ充電器１４が作動し、バッテリ１２を完全に充電すると、作動を停止する。次に、充電器コントローラ１６は信号を発生し、タイマ・リセット２０によりタイマ１８をリセットさせる。
【０００７】
図１のバッテリ充電装置は、ハンドセットにバッテリが収容され、関連するベース・ユニット（ｂａｓｅ  ｕｎｉｔ）に装着されると、バッテリが再び充電される、コードレスの電話に特に役立つ。図２は、典型的なコードレス電話ハンドセット・ユニットのブロック図である。
【０００８】
図２で、ハンドセット・ユニットの無線コンポーネントは、音声増幅器２１および送話器／受話器２２として示されている。送話器／受話器２２は、アンテナ２３に結合され、ベース・ユニット（図３）と協働して通話する。ハンドセット・ユニットに、バッテリと充電器２８、キーパッド２７、リンガーまたはブザー２４、マイクロフォン２６、およびスピーカ２５が収容される。ハンドセットにコネクタ２９も収容され、コネクタ２９は、協働するベース・ユニットの対応するコネクタ３０（図３）に結合される。
【０００９】
図３に示すベース・ユニットに、アンテナ３３に結合される送話器／受話器３１を含む無線コンポーネントが収容される。図２のハンドセット・ユニットは、ハンドセットがベース・ユニット内に据えられると、スイッチ・フック（ｓｗｉｔｃｈ  ｈｏｏｋ）３２と物理的に結合する。コネクタ２９は、ハンドセット・ユニット（図２）をベース・ユニット（図３）のコネクタ３０に結合させて、バッテリを充電する。
【００１０】
もし望ましいなら、図３のベース・ユニットにタイマ（図示せず）が収容されていてもよく、タイマは、ハンドセット・ユニットがベース・ユニットから切り離されている時間の長さを示す信号を発生する。このようなタイマは、スイッチ・フック３２により起動され、スイッチ・フック３２は、ハンドセットが外されることにより起動される。このようなタイマから発生される値は、タイマ１８を制御する信号の成分として、コネクタ（２９と３０）を介してハンドセット・ユニットに結合される。
【図面の簡単な説明】
【００１１】
【図１】本発明による、バッテリ充電器のブロック図である。
【図２】コードレス電話のハンドセット・ユニットのブロック図である。
【図３】コードレス電話のベース・ユニットのブロック図である。
【図１】
2007525135.tif 000003
【図２】
2007525135.tif 000004
【図３】
2007525135.tif 000005
【手続補正書】
【提出日】平成17年1月6日(2005.1.6)
【手続補正１】
【補正対象書類名】特許請求の範囲
【補正対象項目名】全文
【補正方法】変更
【補正の内容】
【特許請求の範囲】
【請求項１】
ａ）再充電可能なバッテリと、
ｂ）前記バッテリにより起動される断続的負荷と、
ｃ）前記負荷に結合され、前記負荷が前記バッテリを負荷する経過時間を表す信号を発生するタイマと、
ｄ）前記バッテリを充電する充電手段と、
ｅ）前記タイマから発生される信号に応答して、前記バッテリ充電手段を制御する制御手段と、から成る、バッテリ充電装置。
【請求項２】
前記負荷がコードレス電話のハンドセットであり、前記タイマが該ハンドセット内に設置される、請求項１記載のバッテリ充電装置。
【請求項３】
前記負荷がコードレス電話のハンドセットであり、前記バッテリ充電手段が、該ハンドセットに関連するベース・ユニット内に設置される、請求項１記載のバッテリ充電装置。
【請求項４】
前記ハンドセットが前記ベース・ユニットから離れているときの経過時間を表す信号を前記タイマが発生する、請求項３記載のバッテリ充電装置。
【請求項５】
前記負荷がコードレス電話のハンドセットであり、前記バッテリを制御する前記手段が、前記ハンドセットに関連するべース・ユニット内に設置される、請求項１記載のバッテリ充電装置。
【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
再充電可能なバッテリと、
前記バッテリにより電力が供給されて作動する断続的負荷と、
前記負荷に結合され、前記負荷に前記バッテリから電力が供給された経過時間を表す信号を発生するタイマと、
前記バッテリを充電する充電手段と、
前記タイマから発生される信号に応答して、前記バッテリ充電手段を制御する制御手段と、を備えるバッテリ充電装置。
【請求項２】
前記負荷がコードレス電話のハンドセットであり、前記タイマが該ハンドセット内に設置される、請求項１記載のバッテリ充電装置。
【請求項３】
前記負荷がコードレス電話のハンドセットであり、前記バッテリ充電手段が、該ハンドセットに関連するベース・ユニット内に設置される、請求項１記載のバッテリ充電装置。
【請求項４】
前記ハンドセットが前記ベース・ユニットから離れているときの経過時間を表す信号を前記タイマが発生する、請求項３記載のバッテリ充電装置。
【請求項５】
前記負荷がコードレス電話のハンドセットであり、前記バッテリ充電手段を制御する前記制御手段が、前記ハンドセットに関連するベース・ユニット内に設置される、請求項１記載のバッテリ充電装置。
【手続補正２】
【補正対象書類名】明細書
【補正対象項目名】０００４
【補正方法】変更
【補正の内容】
【０００４】
（発明の概要）
バッテリ充電装置は、再充電可能なバッテリと、該バッテリにより電力が供給されて作動する断続的負荷と、を含む。タイマがその負荷に結合され、その負荷が使用される経過時間を表す信号を発生する。
【国際調査報告】
2007525135.tif 000006